(57)【要約】【解決手段】  所定の間隔を保って上下に組み合わせ得る２つの長尺状部材１，２と、両部材１，２間に位置していて両部材１，２を所定の間隔に保つための中間部材３とで構成されている。両部材１，２を中間部材３により所定の間隔を保って上下に組み合わせた状態において、その前後方向に連通していて上下方向に迂曲する換気通路４を有する。この換気雨押えＡを下屋Ｂと外壁Ｃとの接合部分に設置したとき、前記換気通路４が下屋Ｂと外壁Ｃとの接合部付近に形式した開口孔Ｄと連通する。【効果】  下屋Ｂの屋根裏の空気を屋外へ放出させることができる。外から雨水が換気通路４内に入り込もうとしても、その分雨水が換気通路４を経て奥に流れ込むことがない。【選択図】  図４
2006063725.tif 000002
【特許請求の範囲】
【請求項１】
所定の間隔を保って上下に組み合わせ得る少なくとも２つの長尺状部材からなり、両部材を所定の間隔を保って上下に組み合わせた状態において、その前後方向に連通する換気通路を有する換気雨押えであって、それを下屋と外壁との接合部分に設置したとき、前記換気通路が下屋と外壁との接合部付近に形式した開口孔と連通することを特徴とする換気雨押え。
【請求項２】
２つの長尺状部材が中間部材によって上下に所定の間隔を保たれ、３つの部材をリベット等の結合部材で一体化したことを特徴とする請求項１記載の換気雨押え。
【請求項３】
換気通路が上下方向に迂曲する通路で形成されていることを特徴とする請求項１記載の換気雨押え。
【請求項４】
換気雨押えの先端側に、長手方向にわたって防風板が形成されていることを特徴とする請求項１記載の換気雨押え。
【請求項５】
換気雨押えの先端側の凹所に、水抜孔が形成されていることを特徴とする請求項１記載の換気雨押え。
【発明の詳細な説明】
【技術分野】
【０００１】
本発明は、下屋を有する住宅においてその換気を可能ならしめ得るようにした雨押えに関するものである。
【背景技術】
【０００２】
家屋の頂付近に開口部を設け、家屋の屋根裏の空気を前記開口部から屋外へ放出することが行われている（例えば、特許文献１参照）。この換気は通常棟換気と呼ばれており、屋根裏にたまる湿気や熱気、結露などを放出して家屋内の空気を和らげて室内を快適な状況にし、冷暖房機などの効果を有効に発揮させることができる。
【特許文献１】特開２００１−１４６８２５号公報
【０００３】
一方、下屋を有する住宅、例えば、下屋の壁との接合部が水平となっており、しかも、下屋が壁から離れるにつれて斜め下方に向かうようになっている住宅についても、様々な提案がなされている（例えば、特許文献２参照）。
【特許文献２】特開２０００−２０４７３０号公報
【発明の開示】
【発明が解決しようとする課題】
【０００４】
しかしながら、この下屋に関しては「換気」について考慮がなされていない。即ち、従来の場合には、下屋の小屋裏の空気を屋外へ放出させることはできなかった。これは、上記特許文献２の記載からも明らかであるが、下屋の小屋裏の空気を屋外へ放出させることができれば、理想的である。
【０００５】
下屋の小屋裏に熱気や湿気がたまると、冷暖房の効率が悪くなるだけでなく、喘息の原因にもなっているカビやダニの温床になってしまう。また、下屋も密閉状態では、空気に含まれている湿気が温度の低い部分で凝結して結露となり、断熱材の老朽化や躯体の腐蝕などを引き起こす。夏場の直射日光を受けた屋根の影響で、下屋の小屋裏の温度が上昇し、それに伴って室内温度も上昇し、夜になっても温度が下がらず、不快で寝苦しい日を過さなければならない。
【０００６】
そこで、必要なのが下屋の小屋裏換気である。下屋の小屋裏にこもりやすい熱気や湿気を効率良く換気できれば、住まいの耐久性と快適性を高めることができる。
【課題を解決するための手段】
【０００７】
本発明は、このような要望に応え得るようにしたものであって、本発明による換気雨押えＡは、所定の間隔を保って上下に組み合わせ得る少なくとも２つの長尺状部材からなり、両部材を所定の間隔を保って上下に組み合わせた状態において、その前後方向に連通する換気通路４を有するものであって、それを下屋Ｂと外壁Ｃとの接合部分に設置したとき、前記換気通路４が下屋Ｂと外壁Ｃとの接合部付近に形式した開口孔Ｄと連通することを特徴とする。
【０００８】
このように、本発明による換気雨押えＡは、それを下屋Ｂと外壁Ｃとの接合部分に設置したとき、前記換気通路４が下屋Ｂと外壁Ｃとの接合部付近に形式した開口孔Ｄと連通し、例えば、図４の矢印で示すように、下屋Ｂの屋根裏の空気を屋外へ放出させることができる。
【０００９】
２つの長尺状部材が中間部材３によって上下に所定の間隔を保たれ、３つの部材をリベット等の結合部材で一体化されていることが望ましい。このようになっていると、中間部材によって２つの長尺状部材が常に上下一定の間隔に保たれ、所定位置への設置後においてもその状態が常に保たれる。
【００１０】
換気通路４が上下方向に迂曲する通路で構成されていることが望ましい。換気通路がこのようになっていると、換気通路４は一直線状でないから、外から雨水が換気通路４内に入り込もうとしても、その分雨水が換気通路４内に流れ込むことはない。従って、この換気雨押えＡを設置した下屋Ｂの屋根裏に雨水が侵入することはない。
【００１１】
換気雨押えＡの先端側に、長手方向にわたって防風板2cが形成されていることが望ましい。この場合には、換気雨押えＡの正面側の開口部分からの雨水の直接侵入を防止することができるのみならず、風の抵抗を和らげることができる。
【００１２】
換気雨押えＡの先端側の凹所に、水抜孔2dが形成されていることが望ましい。この場合には、換気雨押えＡの凹所に雨水が入り込んでも水抜孔2dから流れ出るので、換気雨押えＡの凹所に雨水が溜まることはない。
【発明の効果】
【００１３】
請求項１記載の換気雨押えによれば、それを下屋Ｂと外壁Ｃとの接合部分に設置したとき、換気通路４が下屋Ｂと外壁Ｃとの接合部付近に形式した開口孔Ｄと連通し、下屋Ｂの屋根裏の空気を屋外へ放出させることができるという効果がある。
【００１４】
請求項２記載の換気雨押えによれば、中間部材３によって２つの長尺状部材が常に上下一定の間隔に保たれ、所定位置への設置後においてもその状態が常に保たれるから、正規の組み合わせ状態を長く維持できるるという効果がある。
【００１５】
請求項３記載の換気雨押えによれば、外から雨水が換気通路４内に入り込もうとしても、その分雨水が換気通路４を経て奥に流れ込むことがないから、この換気雨押えＡを設置した下屋Ｂの屋根裏に雨水が侵入することがないという効果がある。
【００１６】
請求項４記載の換気雨押えによれば、換気雨押えＡの正面側の開口部分からの雨水の直接侵入を防止することができるのみならず、風の抵抗を和らげることができるという効果がある。
【００１７】
請求項５記載の換気雨押えによれば、凹所に雨水が入り込んでも水抜孔2dから流れ出るので、換気雨押えＡの凹所に雨水が溜まることはないという効果がある。
【発明を実施するための最良の形態】
【００１８】
本発明の実施の形態を、添付の図面に基づいて詳細に説明する。
本発明による換気雨押えＡは、図１に示すように、少なくとも所定の間隔を保って上下に組み合わせ得る２つの長尺状部材１，２と、両部材１，２間に位置していて両部材１，２を所定の間隔に保つための中間部材３とからなっている。長尺状部材１，２と中間部材３は、例えば、ＧＬ鋼板（ガルバリウム鋼板）製とすることができる。また、それらの厚さは０．３５ｍｍ程度とすることができる。
【００１９】
そして、図３に示すように、２つの長尺状部材１，２間に中間部材３を位置させて両部材１，２を所定の間隔を保って上下に組み合わせ、その状態でリベット等の結合部材で一体化してある。結合部材については、詳細には図示せず、また、図面符号を付すことも省略する。このように、２つの長尺状部材１，２間に中間部材３が位置していると、中間部材３によって２つの長尺状部材１，２が常に上下一定の間隔に保たれ、換気雨押えＡを所定位置へ設置した後においてもその状態が常に保たれる。
【００２０】
このように組み合わせた状態においては、図３の矢印で示すように、その前後方向（図３の左右方向）に連通する換気通路４を有するものとなっている。この換気通路４は図３からも明らかなように、一直線状に通じるところはなく、上下方向において迂曲する通路である。このようなものとするためには、例えば、以下のような場合を挙げることができる。中間部材３を図１に示すように略Ｕ字状とし、その２つの垂直壁3a，3aの高さ方向において異なる位置に、長手方向に複数の開口孔3b，3cを形成するとともに、図１における手前側（図３の右側）に位置する水平部分から下方向に向けて垂直壁3dを垂下させる。
【００２１】
一方、上側に位置する長尺状部材１において、図１における手前側（図３の右側）の垂直壁1aに長手方向に複数の開口孔1bを形成する。また、下側に位置する長尺状部材２において、図１における手前側（図３の右側）の水平部分から前記垂直壁1aと所定の間隔を置いて上方向に垂直壁2aを形成するとともに、図１における奥側（図３の左側）の水平部分から前記垂直壁3aと所定の間隔を置いて斜め上方に向けて傾斜壁2bを形成するとともに、その上端縁の位置を上側に位置する長尺状部材１より下方に位置させ、両者間に所定の間隔が形成されるようにする。
【００２２】
２つの長尺状部材１，２と両者間に位置する中間部材３とをこのような構造とし、それらを上述したように組み合わせることによって、図３の矢印で示すように、その前後方向（図３の左右方向）に連通する換気通路４が形成される。この換気通路４は図３からも明らかなように、一直線状に通じるところはなく、上下方向において迂曲する通路である。そして、この換気雨押えＡを下屋Ｂと外壁Ｃとの接合部分に設置したとき、前記換気通路４を下屋Ｂと外壁Ｃとの接合部付近に形式した開口孔Ｄと連通させることができる。
【００２３】
そして、この換気雨押えＡのうち上側に位置する長尺状部材１の奥側には、所定の角度（例えば、１１７°）で斜め上方に延び出る立ち上がり部1cが、また、下側に位置する長尺状部材２の手前側にある垂直壁2aから斜め下方に延び出る防風板2cが長手方向にわたって形成されている。この防風板2cは、換気雨押えＡの正面側の開口部分からの雨水の直接侵入を防止するのみならず、風の抵抗を和らげるためのものである。
【００２４】
また、換気雨押えＡの先端側の凹所、すなわち、図１における手前側（図３の右側）の水平部分から上方向に形成されている垂直壁2aの下縁部であるコーナー部分には、長手方向にわたって複数の水抜孔2d，2dが形成されている。この水抜孔2dは、換気雨押えＡの凹所に入り込んだ雨水を流出させ、換気雨押えＡの凹所に雨水を溜めないようにするためのものである。
【００２５】
次に、この換気雨押えＡの設置方法について詳細に説明する。
図４はこの換気雨押えＡを下屋Ｂに設置した場合の断面図、図５がその概略斜視図である。ここには、下屋Ｂと外壁Ｃとの接合部が水平となっており、しかも、下屋Ｂが外壁Ｃから離れるにつれて斜め下方に向かう下屋Ｂに設置する場合を例に挙げて説明する。
【００２６】
この下屋Ｂと外壁Ｃとの接合部付近である野地板Ｅには、図５に示すように、所定の間隔をおいて開口孔Ｄ，Ｄを開ける。そして、図４において図面符号Ｆで示すルーフィングを野地板Ｅ上に施工し、開口孔Ｄと同じ位置を開口するとともに、その立ち上がり部分を外壁Ｃに沿わせる。次いで、最上段に位置する瓦Ｇの一部を前記開口部Ｄに合わせて切り落す。
【００２７】
この状態とした上で、前記開口孔Ｄに合わせて本換気雨押えＡを載置するとともに、固定用の釘Ｈを瓦Ｇから野地板Ｅまで貫通させて本換気雨押えＡを取り付け、その左右に隙間なく笠木Ｉ，Ｉを嵌め込むとともに、本換気雨押えＡの接合部や笠木Ｉ周辺部をシーリング処理する。この場合において、本換気雨押えＡの上側に位置する長尺状部材１の立ち上がり部1cを外壁Ｃに沿わせたルーフィングＦの表側に沿わせる。
【００２８】
次いで、本換気雨押えＡの左右に位置する笠木Ｉ，Ｉに、通常用いられている標準型雨押えＪ，Ｊを被せる。そして、本換気雨押えＡのうち外壁Ｃの表側に位置する長尺状部材１の立ち上がり部1cに沿わせて通気シートＫを貼着し、さらにその上からサイディングＬを施工し、下屋Ｂと外壁Ｃとの接合部よりも上方部分をサイディングＬで覆う。
【００２９】
このような施工により、下屋Ｂと外壁Ｃとの接合部付近に本換気雨押えＡを設置することができ、前記換気通路４を下屋Ｂと外壁Ｃとの接合部付近に形式した開口孔Ｄと連通させることができる。従って、下屋Ｂの屋根裏の空気を、図４の矢印で示すように、開口孔Ｄから本換気雨押えＡの換気通路４を経て屋外へ放出させることができる。
【００３０】
そして、本換気雨押えＡを用いた場合には、上下２つの長尺状部材１，２が中間部材３によって常に上下一定の間隔に保たれ、下屋Ｂと外壁Ｃとの接合部付近への設置後においてもその状態が常に保たれることになるから、正規の組み合わせ状態を長く維持できる。
【００３１】
一方、本換気雨押えＡはそのほとんどが露出した状態にあるが、外から雨水が換気通路４内に入り込もうとしても、換気通路４は図３からも明らかなように、一直線状に通じるところはなく、上下方向において迂曲する通路となっているから、その分雨水が換気通路４を経て奥に流れ込むことがない。従って、本換気雨押えＡを設置した下屋Ｂの屋根裏に雨水が侵入することがない。
【００３２】
また、本換気雨押えＡには、下側に位置する長尺状部材２の手前側において斜め下方に延び出る防風板2cが長手方向にわたって形成されているから、この防風板2cで換気雨押えＡの正面側の開口部分からの雨水の直接侵入を防止することができるのみならず、風の抵抗を和らげることができる。
【００３３】
さらに、本換気雨押えＡには、その先端側の凹所、すなわち、図１における手前側（図３の右側）のコーナー部分には、長手方向にわたって複数の水抜孔2d，2dが形成されているから、前記凹所に雨水が入り込んでも各水抜孔2d，2dから流れ出るので、換気雨押えＡの凹所に雨水が溜まることはない。
【００３４】
本換気雨押えＡの下側に位置する長尺状部材２の裏面には、図１、図３において図面符号５で示すシーラーが貼り付けてある。このシーラー５により、下屋Ｂの設置した本換気雨押えＡと瓦Ｇとの隙間から風雨が侵入するのを防止できる。また、本換気雨押えＡを設置するに当って固定用の釘Ｈを用いる場合には、中間部材３と下側に位置する長尺状部材２との間に筒状のパッキン６を嵌め込み、また、釘Ｈの頭側においては座金７とパッキン８を用いるとよい。なお、釘Ｈ及び座金７はＳＵＳ製、シーラー５及びパッキン６、８はＥＰＤＭ（Ｅｔｈｙｌｅｎｅ−Ｐｒｏｐｙｌｅｎｅ−Ｄｉｅｎｅ  Ｍｅｔｈｙｌｅｎｅ  ｌｉｎｋａｇｅ）製とすることができる。
【図面の簡単な説明】
【００３５】
【図１】本換気雨押えの一例を分解して示す斜視図である。
【図２】本換気雨押えの一構成部品である中間部材を、図１とは反対の方向から見た斜視図である。
【図３】３つの部材を組み合わせて一体化した状態を示す本換気雨押えの拡大断面図で、固定用の釘を打ち込んだ状態で示す。
【図４】本換気雨押えの施工状態を示す拡大断面図である。
【図５】本換気雨押えの施工状態を説明するために、下屋と外壁との接合部付近に設置すべき本換気雨押えと他の各部材とを、組み込む前の状態で示す斜視図である。
【符号の説明】
【００３６】
１…長尺状部材、1a…垂直壁、1b…開口孔、２…長尺状部材、2a…垂直壁、2b…傾斜壁、2c…暴風板、2d…水抜孔、３…中間部材、3a…垂直壁、3b，3c…開口孔、3d…垂直壁、４…換気通路、Ａ…換気雨押え、Ｂ…下屋、Ｃ…外壁、Ｄ…開口孔、Ｅ…野地板、Ｆ…ルーフィング、Ｇ…瓦、Ｈ…釘、Ｉ…笠木、Ｊ…標準型雨押え、Ｋ…通気シート、Ｌ…サイディング。
【図１】
2006063725.tif 000003
【図２】
2006063725.tif 000004
【図３】
2006063725.tif 000005
【図４】
2006063725.tif 000006
【図５】
2006063725.tif 000007